(57)【要約】本発明による保持クリップは、機能エレメントをピン（１）に、特に縦リブを備えたプラスチックピンに固定するのに役立つ。クリップは、ピン（１）のための収容体（２）と、例えば電気的なライン、ワイヤハーネス又はこれに類するもののような機能エレメントのための保持手段（３）とから成っている。収容体（２）には、複数の、段状にずらされて対向して位置する保持薄片（４）が設けられており、保持薄片（４）の、中心を向いた保持エッジ（５）は固くピンリブ（６）に接する。収容体（２）の下側の縁部（９）には、傾斜して下方に突出したフレキシブルな支持脚（１１）が一体成形されている。組付けを確実に証明するために、保持薄片（４）の上方で、一方の側壁（７）には、横方向に収容室（１３）にわたって延在するフレキシブルなバー（１２）が一体成形されており、バー（１２）の自由な端部（１４）は、対向して位置する側壁（８）に設けられた突起（１５）のちょうど下方にまで達している。収容室（１３）はバー（１２）のすぐ上方で横方向壁（１０）により覆われており、この横方向壁（１０）に対して、自由なバー端部（１４）が、ピン（１）の導入時に突起（１５）を越えて跳ね上がった後で、可聴な音をともなって叩打もしくは当接する。
2004507674.tif 000002
【特許請求の範囲】
【請求項１】
機能エレメントをピン、特に縦リブを備えたプラスチックピンに固定するための保持クリップであって、ピン（１）のための収容体（２）と、該収容体（２）に一体成形された、機能エレメントのための保持手段（３）とが設けられており、前記収容体（２）に、複数の、段状にずらされて対向して位置する保持薄片（４）が設けられており、該保持薄片（４）の、中心を向いた保持エッジ（５）がピン壁に固く接し、さらに収容体（２）の、下側の縁部（９）には、傾斜して下方に向かって突出したフレキシブルな支持脚（１１）が一体成形されている形式のものにおいて、保持薄片（４）の上方には側壁（７）に、横方向に収容室（１３）にわたって延びるフレキシブルなバー（１２）が一体成形されており、該バー（１２）の自由な端部（１４）が、対向して位置する側壁（８）に設けられた突起（１５）のちょうど下方にまで達しており、収容室（１３）がバー（１２）のすぐ上方で横方向壁（１０）により覆われており、該横方向壁（１０）に対して、自由なバー端部（１４）が、ピン（１）の導入時に突起（１５）を超えて跳ね上がった後で、可聴に叩打もしくは当接することを特徴とする、機能エレメントをピンに固定するための保持クリップ。
【請求項２】
バー（１２）の自由な端部（１４）のすぐ手前において、バー（１２）の上面に、上方に向かって突出したハンマ状のノーズ（１７）が一体成形されており、且つノーズ（１７）の上方では横方向壁（１０）に、対応する切欠き（１８）が設けられており、バー（１２）が突起（１５）を越えて跳ね上がった後で、前記切欠き（１８）内にノーズ（１７）が進入する、請求項１記載の保持クリップ。
【請求項３】
ノーズ（１７）の高さを、ノーズ先端（１９）が切欠き（１８）への進入後に横方向壁（１０）の上面から幾分突出しているように寸法設定する、請求項２記載の保持クリップ。
【請求項４】
バー（１２）が、ピン（１）に面した下面に、上面のノーズ（１７）から側方に間隔を置いて支持ノーズ（２０）を有しており、該支持ノーズ（２０）がピン（１）の導入時に、ピン（１）の端面（１６）に載着する、請求項２又は３記載の保持クリップ。
【発明の詳細な説明】
【０００１】
本発明は、請求項１の上位概念部に記載した形式の、機能エレメントをピン、特に縦リブを備えたプラスチックピンに固定するための保持クリップに関する。
【０００２】
このような形式の保持クリップは一般的には、複数の、段状にずらされて対向して位置した保持薄片を備えた、ピンのための収容体を有しており、保持薄片の、中心を向いた保持エッジはピン壁に固く接している（ドイツ連邦共和国特許第３４０８６１２号明細書参照）。
【０００３】
ドイツ連邦共和国特許出願公開第１９９３２８６２号明細書には、縦リブを備えたプラスチックピンに解離可能に固定するための、同様に働く保持クリップが開示されており、この保持クリップの場合、収容体の下側の縁部に、傾斜して下方に突出したフレキシブルな支持脚が一体成形されている。この支持脚は、保持クリップを押し下げる際に互いに拡開し、これにより反対圧力が生ぜしめられて、この反対圧力により保持エッジがピンリブにくい込むようになっている。
【０００４】
これらの保持クリップが規定通りに組付けられるかは、保持キャップを十分な程度にピンに対して押し下げたかにかかっている。クリップが「十分な程度に」ピンに対して押し下げられているかどうかは、取付工の全く主観的な感覚に基づいて決定される。そのために、特に見通しの悪い取付け箇所において、押し下げる際の力のいれ具合に関連して、保持クリップが下方にまだ載着していない事態が起こり得る。その際に、クリップがまだルーズにピン上で揺動していると、クリップが場合によっては自由に動いてピンから脱落してしまうことがある。
【０００５】
したがって本発明の課題は、冒頭で述べた形式の保持クリップを改良して、組付工が正しい組付けの確実なサインを得られるようにすることである。この課題は本発明により解決される。すなわち本発明では、保持薄片の上方において一方の側壁に、横方向に収容室にわたって延びるフレキシブルなバーが一体成形されていて、そのバーの自由な端部が、対向して位置する側壁に設けられた突起のちょうど下方にまで達しており、且つ収容室がバーのすぐ上方で横方向壁により覆われていて、この横方向壁に対して、自由なバー端部が、ピンの導入時に突起を越えて跳ね上がった後に可聴に、つまり音を鳴らせて叩打もしくは当接するようになっている。
【０００６】
この可聴な叩打もしくは当接は、組付け場の一般的な騒音レベルに基づいて、場合によっては十分に大きな音ではないかもしれないので、本発明の変化形で提案されることは、バーの自由な端部のすぐ手前に、バーの上面に、上方に向かって突出したハンマ状のノーズが一体成形されており、且つこのノーズの上方で横方向壁に、対応する切欠きが設けられていて、バーが突起を越えて跳ね上がった後で、この切欠き内に前記ノーズが進入するようにすることである。それにより、組付工は、可聴な叩打もしくは当接の他に、ハンマ状のノーズが切欠き内に進入していることを親指の先で認識することができるようになる。
【０００７】
このように組付け証拠を感知することは、本発明の別の特徴により更に強化される。この場合、ノーズの高さは、ノーズ先端が切欠き内への進入後に横方向壁の上面から僅かな値の分だけ突出するように寸法設定されている。これにより、親指の先に対する衝撃が強められるばかりではなく、突出した先端により、バーが突起を越えて跳ね上がっていることが視覚的にも確認される。
【０００８】
以下に図面を参照しながら本発明の実施例について詳説する。
【０００９】
図示した保持クリップは、機能エレメントをピン１、特に縦リブを備えたプラスチックピンに固定するのに役立つ。この際クリップは、ピン１を収容する収容体２と、該収容体２に一体成形された、機能エレメント（図示せず）のためのロッド状の保持手段３とから成っている。機能エレメントは例えばワイヤハーネス（Ｋａｂｅｌｂａｕｍ）から成ることができて、これは保持ロッド３に、粘着テープにより固く巻装される。
【００１０】
収容体２には、複数の、段状にずらされて対向して位置する保持薄片４が設けられており、つまり本実施例では、複数の保持薄片４が、互いに対向する位置にあって、且つ交互に段違いに配置されている。これらの保持薄片４は、中心を向いた有利には半円形の保持エッジ５を有しており、保持エッジ５は、縦リブを備えたピンに対して保持クリップを押圧した後には、ピンに設けられたピンリブ６に接する。保持薄片４は２つの側壁７，８の間に一体成形されていて、側壁７，８は、下側の端部で円形の縁部９で終わっており、上側の端部で横方向壁１０により覆われる。収容体２の縁部９には、傾斜して下方に向かって突出した３つのフレキシブルな支持脚１１が一体成形されており、支持脚１１は、保持クリップを押し下げる際に互いに拡開し、これにより反対圧力（Ｇｅｇｅｎｄｒｕｃｋ）もしくは反発を生ぜしめる。薄片４の保持エッジ５は傾斜して上方に向けられており、それによって、保持エッジ５が反対圧力に基づいてピンリブ６にくい込んで、そのために保持クリップをピン１に固く係止することができるようになっている。
【００１１】
保持薄片４の上方において、一方の側壁７にはフレキシブルなバー１２が一体成形されており、バー１２は横方向に、収容室１３にわたって延びている。バー１２の、弾発可能な自由な端部１４はちょうど、対向して位置する側壁８に一体成形されている突起１５の下方で終わっている。前記横方向壁１０は収容室１３をバー１２のすぐ上方で覆っている。ピン１を収容室１３に導入する際に、自由なバー端部１４は、ピン１の端面１６により上方に押圧され（図２及び図３）、バー１２が突起１５を越えて跳ね上がった後で、横方向壁１０を可聴に、つまり音を鳴らせて叩打もしくは横方向壁１０に当接する（図４）。
【００１２】
図５に示した実施例において、バー１２の端部１４のすぐ手前には、バー１２の上面に、上方に突出したハンマ状のノーズ１７が設けられており、かつ横方向壁１０には対応する切欠き１８が設けられている。この切欠き１８内にノーズ１７が、突起１５を越えて跳ね上げられた後で進入する。これにより、可聴な叩打もしくは当接が生ぜしめられるばかりではなく、取付工が自分の親指で、切欠き１８内に進入したノーズ先端１９を認識することもできる。
【００１３】
図６に示した実施例の場合、ノーズ１７の高さは、ノーズ先端１９が切欠き１８内への進入後に横方向壁１０の上面から幾分突出するように寸法設定されているので、突出したノーズ先端１９をより明確に認識することができる。さらに、これによって付加的に、保持クリップの正確な組付けのための視覚的な表示が提供される。
【００１４】
すべての実施例において、バー１２はピン１に面した下面に、上面のノーズ１７から間隔を置いて別の支持ノーズ２０を有しており、支持ノーズ２０はピン１の導入時にピン１の端面１６に載着する。これにより最適なたわみと予荷重もしくはプレロードとがバー１２に得られる。
【００１５】
図７には、本発明による保持クリップのための有利な組付け例が示されており、本例では保持クリップは別個の組付けポット２１内にはめ込まれている。この組付けポット２１は２つの半円形の側壁２２から成っており、側壁２２は、１つの共通のベースプレート２３を介して互いに結合されている。側壁２２の間には、両方向に向かって、ロッド状の保持手段３のための貫通開口２４が開けられている。この貫通開口２４は例えば、保持ロッド３に粘着テープにより固く巻装されたワイヤハーネスを保持するために使用されることができる。
【図面の簡単な説明】
【図１】縦リブを備えたプラスチックピンに対して押し下げる前の保持クリップの側面図である。
【図２】プラスチックピンに対して押し下げている最中の、同じ保持クリップの側面図である。
【図３】押し下げ中であって終端位置に達する直前の、同じ保持クリップの側面図である。
【図４】バーが跳ね上がって終端位置に達した、同じ保持クリップの側面図である。
【図５】自由なバー端部に設けられたハンマ状のノーズが切欠き内に進入している、図４と同じ組付け状態にある保持クリップの側面図である。
【図６】ノーズ先端が切欠きから突出した、図４と同じ組付け状態にある保持クリップの側面図である。
【図７】組付けポット内に嵌められている保持クリップの組付け例を示す図である。
【符号の説明】
１　ピン
２　収容体
３　ロッド状の保持手段
４　保持薄片
５　保持エッジ
６　ピンリブ
７　側壁
８　側壁
９　円形の縁部
１０　横方向壁
１１　支持脚
１２　バー
１３　収容室
１４　自由な端部
１５　突起
１６　端面
１７　ハンマ状のノーズ
１８　切欠き
１９　ノーズ先端
２０　支持ノーズ
２１　組付けポット
２２　半円形の側壁
２３　ベースプレート
２４　保持手段のための貫通開口
【国際公開パンフレット】
2004507674.tif 000003
2004507674.tif 000004
2004507674.tif 000005
2004507674.tif 000006
2004507674.tif 000007
2004507674.tif 000008
2004507674.tif 000009
2004507674.tif 000010
2004507674.tif 000011
2004507674.tif 000012
【国際調査報告】
2004507674.tif 000013
2004507674.tif 000014
2004507674.tif 000015
2004507674.tif 000016
2004507674.tif 000017
2004507674.tif 000018